(57)【要約】【目的】押し体の前進で加圧し、後退で外気と同じにして、加圧効果を上げることと、インキのボタ落ちの危険を回避可能とする。【構成】インキ収容管にインキとインキの後端にフォロアが配設されてなるリフィールと、そのリフィールが搭載される軸筒の後端にポンピング式の加圧機構部が設けられた加圧式の筆記具に於いて、加圧機構部は、スプリングを介して軸筒に対し前進可能に係止された押し体と、押し体の前方軸部に溝部とその溝部内の後端側に軸部の前端と軸部後方とを連通する通気路が設けられ、シールリングが溝部内に密挿されて、押し体を前進作動した時にシールリングが溝部内の後端側に寄って通気路が閉塞された状態で摺動してフォロアの後端が加圧され、押し体を後退した時にシールリングが溝部内の前端側に寄って通気路が開口し、フォロアの後端が外気と連通した状態で後退可能となるように構成されてなる。【選択図】                図３
2004338161.tif 000002
【特許請求の範囲】
【請求項１】
筆記先端部の後方にインキ収容管を備え、インキ収容管にインキとそのインキの後端にインキの蒸発を防止し且つインキの消耗と共にインキに追随するフォロアが配設されてなるリフィールと、そのリフィールが軸筒に搭載され、軸筒の後端にポンピング式の加圧機構部が設けられて、そのポンピングの前進作動によってインキ収容管の後端孔に空気が押し込まれてフォロアの後端が加圧されるように構成された加圧式の筆記具に於いて、
ポンピング式の加圧機構部は、軸筒の後端に後端部を突出してスプリングを介して軸筒に対し前進可能な状態で係止された押し体と、その押し体の前方軸部に円周状の溝部とその溝部内の後端側に軸部の前端と軸部後方外周とを連通する通気路が設けられ、シールリングが前記溝部内に前後動可能に密挿されて、押し体を前進作動した時にシールリングが溝部内の後端側に寄って前記通気路が閉塞された状態でシールリングの外周部がインキ収容管の後端孔内周部に密接上に摺動してフォロアの後端が加圧され、押し体を後退した時にシールリングが溝部内の前端側に寄って通気路が開口し、フォロアの後端が外気と連通した状態で後退可能となるように構成されてなる加圧式の筆記具。
【請求項２】
筆記先端部の後方にインキ収容管を備え、インキ収容管にインキとそのインキの後端にインキの蒸発を防止し且つインキの消耗と共にインキに追随するフォロアが配設されてなるリフィールと、そのリフィールが軸筒に搭載され、軸筒の後端にポンピング式の加圧機構部が設けられて、そのポンピングの前進作動によってインキ収容管の後端孔に空気が押し込まれてフォロアの後端が加圧されるように構成された加圧式の筆記具に於いて、
ポンピング式の加圧機構部は、軸筒の後端に後端部を突出してスプリングを介して軸筒に対し前進可能な状態で係止された押し体と、その押し体の前方軸部に円周状の溝部とその溝部内にシールリングが密挿され、押し体を前進作動した時にシールリングの外周部がインキ収容管の後端孔内周部に密接上に摺動してフォロアの後端が加圧されると共に、押し体の後退を阻止するロック装置が設けられてなる加圧式の筆記具。
【発明の詳細な説明】
【０００１】
【産業上の利用分野】
本発明は、筆記先端部の後方にインキ収容管を備え、インキ収容管にインキとインキの後端にインキの消耗と共に追随するフォロアが配設され、更にフォロアの後方にポンピング式の加圧機構部が設けられた筆記具の改良に関する。
【０００２】
【従来の技術】
【特許文献１】特開平８−５２４０７
【特許文献２】特表平７−５０６８６２
【特許文献３】特開２００１−１５０８６５
【特許文献４】特開２００１−１２１８８５
従来、誤記等を修正するために白色顔料を用いた液体塗布具が知られている。
また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。（特許文献１）
また、剪断減粘性を有するインキを使用して、攪拌しないですむものも知られているが、上向きで塗布したときにインキが逆流してインキ切れしやすい問題が存在する。（特許文献２）
また、軸筒の後端にポンピング式の加圧機構部が設けられ、更にその前方で且つインキの後端に接触してインキの消耗と共に追随するよう配設されたフォロアの後端に位置して弁機構が配設され、加圧機構部の前進作動によって軸筒の後端孔に空気が押し込まれて、その際に所定圧で弁が開いてフォロアの後端が加圧されることによってインキのチップ側への流動性が支援されるように構成されたものが提案されている。（特許文献３）
しかしながら、このものは構造が複雑であり、コスト高となる欠点がある。
また、非使用時に加圧状態のままにあるので内圧が設定値を越えた状態となっていた場合、不用意にインキが吹出るという問題の配慮が必要となる問題が存在する。
また、軸筒の後端にポンピング式の加圧機構部が設けられて、そのポンピングの前進作動によってボールペンリフィールの後端孔に空気が押し込まれてフォロアの後端が加圧され、インキのチップ側への流動性が支援されるように構成された本発明の改良の元となるものが提案されている。（特許文献４）
このものは、押し体の前進を解除すると後退して外気と同じになるので加圧効果が持続しない欠点がある。また、加圧した状態から減圧の影響を有して後退するので加圧効果が十分でない問題がある。
【０００３】
一般に粘性の低いインキまたは剪断減粘性を有したインキを使用したボールペンは、インキの流出量が多く（筆記濃度を上げるため）インキ収容管の径を太くしてインキの搭載量を多くしている。また、インキの粘度は油性ボールペンのインキに比べて小さいのでインキ収容管に対する流動抵抗は小さい。従って、インキの自重や落下あるいはノック衝撃が加わることによりインキ漏れ（インキ収容管の後端にインキが逆流する）が生じやすい。その為に、通常はインキの後端に筆記時のインキの消耗に追随して移動するが、インキの自重や衝撃に対してインキの逆流を抑制するグリース状のフォロアが、また、必要によりフォロア棒がフォロア内に浸漬されて設けられている。しかしながら、フォロアを設けても上向き筆記をした時にはチップのボール背面のインキが無くなると、インキのヘッドが直に加わる為に顕著な逆流が生じて手や衣服を汚す危険がある。また、インキの粘度が低く流出量が多いが故に、チップ側を下向きにした場合に先端ボールとチップ抱持部の隙間が生じるとインキが滲みでる（直流）問題が存在する。
特に、誤記等を修正するために白色顔料を用いた液体塗布具の場合には、インキの流量を多くすることや、乾燥による目詰まり排除などの理由で、筆圧によって先端ボールが後退する寸法が大きくとってあり、先端ボールの周面とチップのボール抱持部の内面との間の隙間が大きい。
【０００４】
【発明が解決しようとする課題】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなどを加圧効果に優れた加圧作用で支援して筆記可能とする。また、適正な加圧力を容易に設定可能とし、ボールペンの未使用時に於いて、不用意に筆記先端部に外力が懸かってもインキが吹出る問題を回避可能とする。また、誤字修正用のボールペンの場合、酸化チタン、高分子中空微粒子等の白色顔料とゲル化剤を含み、顔料の沈降が防止されると共に流動性が損なわれないように配合された白色顔料インキと、ポンピングによる加圧機構を設けることによって、白色顔料と溶剤とが分離するような問題がなく、従ってインキを攪拌する必要がなく、筆記に際して容器の側面を押圧するようなこともない使い勝手の良い加圧式のボールペンを提供可能とする。
【０００５】
また、先端に連続気孔を有した多孔質体、軸方向に複雑な毛細管が形成されて成る所謂プラ芯、繊維集合体、などからなるペン芯をペン先としたサインペン、マーカー等の筆記具に於いて、紙面に筆記した筆跡が消しゴムでの擦過により容易に消去できるインキ、誤記等を白色で隠蔽する所謂修正インキ、メタリックカラーインキ、ラメを配したインキ、パール調インキ、筆記描線の乾燥が極めて速いインキなどのように、顔料粒子、高分子粒子、金属粉、金属箔、雲母などをインキ中に含み、高固形分濃度で粘度が高く、剪断減粘性を有するインキ、などのインキを使用可能とし、インキの粘度が所定以上に高かったり、あるいは着色微粒子が所定以上に大きい場合であってもペン先が詰まって筆記不可となる問題を回避可能とする。
【０００６】
【課題を解決するための手段】
本発明は、上記課題を達成する為に以下の構成を有する。
請求項１に記載の発明に係る加圧式の筆記具は、筆記先端部の後方にインキ収容管を備え、インキ収容管にインキとそのインキの後端にインキの蒸発を防止し且つインキの消耗と共にインキに追随するフォロアが配設されてなるリフィールと、そのリフィールが軸筒に搭載され、軸筒の後端にポンピング式の加圧機構部が設けられて、そのポンピングの前進作動によってインキ収容管の後端孔に空気が押し込まれてフォロアの後端が加圧されるように構成された加圧式の筆記具に於いて、ポンピング式の加圧機構部は、軸筒の後端に後端部を突出してスプリングを介して軸筒に対し前進可能な状態で係止された押し体と、その押し体の前方軸部に円周状の溝部とその溝部内の後端側に軸部の前端と軸部後方外周とを連通する通気路が設けられ、シールリングが前記溝部内に前後動可能に密挿されて、押し体を前進作動した時にシールリングが溝部内の後端側に寄って前記通気路が閉塞された状態でシールリングの外周部がインキ収容管の後端孔内周部に密接上に摺動してフォロアの後端が加圧され、押し体を後退した時にシールリングが溝部内の前端側に寄って通気路が開口し、フォロアの後端が外気と連通した状態で後退可能となるように構成されてなる。
【０００７】
請求項２に記載の発明に係る加圧式の筆記具は、筆記先端部の後方にインキ収容管を備え、インキ収容管にインキとそのインキの後端にインキの蒸発を防止し且つインキの消耗と共にインキに追随するフォロアが配設されてなるリフィールと、そのリフィールが軸筒に搭載され、軸筒の後端にポンピング式の加圧機構部が設けられて、そのポンピングの前進作動によってインキ収容管の後端孔に空気が押し込まれてフォロアの後端が加圧されるように構成された加圧式の筆記具に於いて、ポンピング式の加圧機構部は、軸筒の後端に後端部を突出してスプリングを介して軸筒に対し前進可能な状態で係止された押し体と、その押し体の前方軸部に円周状の溝部とその溝部内にシールリングが密挿され、押し体を前進作動した時にシールリングの外周部がインキ収容管の後端孔内周部に密接上に摺動してフォロアの後端が加圧されると共に、押し体の後退を阻止するロック装置が設けられてなる。
【０００８】
【実施例】
図１乃至図７は本発明の加圧式の筆記具で、筆記先端部がボールペンチップの実施例を示している。
先ず、図１に示すボールペンリフィール１のインキ収容管２内には白色顔料インキ９が充填され、そのインキの後端にインキの消耗と共にインキと追随するグリース状のフォロア１０が充填されている。また、フォロアはインキと相溶性が無く又インキの蒸発を防止する性能を有している。また、必要に応じてフォロア内にフォロアと略同等の比重を有する樹脂製のフォロア棒１１が浸漬される。尚、フォロアは例えばシリコンゴム等の追従体とすることも可能である。
【０００９】
また、白色顔料インキ９は、少なくとも酸化チタン、高分子中空微粒子等の白色顔料とゲル化剤を含み、顔料の沈降が防止されると共に流動性が極力損なわれないように配合された白色顔料インキである。また、インキは剪断減粘性を有しているので先端ボールの回転で粘度が低下するのと相まって隠蔽性の高い塗布が可能である。
【００１０】
また、図に示すように継ぎ手４は鍔部４ｂの前方に前軸部４ａが、後方に後軸部４ｃが形成され、前軸部４ａ先端のチップ嵌着孔４ｄに先端ボール６を抱持したチップ３の軸部３ｂが固着されている。また、前軸部４ａ外周の所用箇所にリブ４ｅが形成されている。
【００１１】
また、チップ３はインキ流入可能なチャンネルを有した座に先端ボール６が略当接した状態で、先端ボール６が回転自在に抱持されるようカシメられている。また、チップ３の内孔部にスプリング７が内挿され、チップの軸部３ｂの後端が適宜カシメられてスプリング７の後端が抜出不能となされている。
【００１２】
また、スプリング７の先方には直線状の棒軸部７ａが形成され、当該棒軸部７ａの先端が先端ボール６の背面に押圧状に当接する。尚、先端ボール６はその押圧でチップ３のボール抱持部３ａ（カシメ等で形成）の内縁に密接状態と成されている。尚、スプリングの前面に先端ボール６の背面を押圧する押し部材を設けることも、又、上記棒軸部を極細巻きのコイル状となすことも可能である。
また更に、チップを耐磨耗性やインキのシール性能に優れた樹脂成型品となして、先端ボールの背面を押圧するバネ座を一体又は別体のバネ座を設けて構成することも可能である。
【００１３】
また、先端ボール６がボール抱持部３ａの内面に密接することはインキが高粘度であっても筆記先端の乾燥、インキの直流防止に対し極めて重要である。
即ち、本願のような誤記修正塗布用のボールペンはインキの吐出量を多くする為に、筆記用のボールペンに比較して先端ボールの後退する寸法を大きく設定されている。また、先端ボール６を抱持するチップ内面の表面粗さ、カシメによる密接精度を改善する為に内面の研削仕上げ、カシメ精度を上げる為の二次的な塑性加工が配慮される。また、必要によっては先端ボールとの密接面に表面処理などが配慮される。
【００１４】
また、上記チップ嵌着孔４ｄの後方にチップ３の軸心と適宜偏心させた弁室５が設けられ、弁室５の後部には導孔５ｂに連通してテーパー状または球面状の弁体受け座５ａが形成されている。また、弁室５の内壁の一側にはインキが流入可能な溝部５ｃが形成されている。また、弁室５内には球状の弁体８が遊嵌されて、チップ３を下向きにした状態で弁体８がチップの軸部３ｂの後端に偏倚した状態に当接して、上記溝部５ｃ等を通じて導孔５ｂから流入したインキがチップ内孔部に流入するように構成されている。
尚、弁体は弁体受け座に密接する側をテーパー状又は球面状に成した軸状体とすることも可能である。また、その際にはチップの軸部後端に当接する側の周面にチップ内にインキが流入する溝を形成することで弁室を上記のようにチップ軸心に対し偏心させる必要はない。
【００１５】
ところで、図７はボールペンリフィールの別の実施形態を示している。上述したボールペンリフィール１との相違は弁体とフォロア棒を有さないことである。
即ち、弁体とフォロア棒は必須の構成要件としないものである。
詳細については作用で後述する。
【００１６】
また、継ぎ手４の鍔部４ｂの後方には後軸部４ｃが延設されている。後軸部４ｃの外周には筒状のインキ収容管２がその先端を鍔部４ｂの後端に当接して圧入固着されインキ収容管２の内径部が継ぎ手４の導孔５ｂに導通している。尚、上記インキ収容管２は一例として透明のＰＰ樹脂成形品等が使用される。また、上述した実施例のボールペンは継ぎ手とインキ収容管が別部材で形成されているが、両者を一体の樹脂成形品で形成することも可能である。
【００１７】
次に、図２及び図３は、ボールペンリフィール１を軸本体に搭載した塗布具としてのボールペンの実施形態を示している。軸本体は、キャップ１７、軸筒１５、口先部１６、押し体１２を主部材として構成されている。
先ず、図に示すように軸筒１５は樹脂成形品で、その先方に口先部１６を着脱可能に有し、そのやや後方の外周に突部と溝部とより成る係合部と、係合部の後端に後述するキャップ１７の端部が当接する段部が形成されている。また、口先部１６の内孔の周面に段部１６ａが形成されている。
ボールペンリフィール１は軸筒１５の前端から嵌挿され、継ぎ手４の鍔部４ｂの後端が軸筒１５の前端に当接すると共に、軸筒の前端部外周に口先部１６が螺合等により接合され、継ぎ手４の外周に設けたリブ４ｅが上記口先部の段部１６ａに係合すると共にチップ３の先方部が口先部１６の先端孔から突出される。
【００１８】
一方、軸筒１５の後端には加圧機構部が設けられている。
先ず、軸筒１５の後端孔には段部１５ｃが形成されている。また、押し体１２は前方に段部１２ａを有し、その前方に鍔部１２ｂを有して、更にその前方に軸部１２ｃが設けられている。また、軸部１２ｃの前端側に孔部１２ｆが設けられ、軸部１２ｃの周面に溝部１２ｄが設けられて、その溝部内の後端側に小孔１２ｅが孔部１２ｆに向けて穿設され、軸部の前端と軸部後方外周とを連通する通気路が設けられている。また、溝部１２ｄに一例としてゴム等の弾性体より成るシールリング１３が密挿される。シールリング１３は、溝部１２ｄの周面に密着した状態で溝内を前後方向に摺動可能となされている。
後述するが、押し体１２を前進作動した時にシールリング１３が溝部内の後端側に寄って前記小孔１２ｅが閉塞された状態でシールリング１３の外周部がインキ収容管２の後端孔内周部に密接上に摺動してフォロア１０の後端が加圧され、押し体１２を後退した時にシールリング１３が溝部内の前端側に寄って小孔１２ｅが開口し、フォロア１０の後端が外気と連通した状態で後退可能となるように構成されている。
【００１９】
押し体１２は、軸筒１５の後端から挿入され、押し体の段部１２ａと軸筒の段部１５ｃの後面との間にスプリング１４が敷設されると共に鍔部１２ｂが段部１５ｃの前面に相互間の弾性変形を利用して係止され、スプリング１４によって軸筒１５に対し押し体１２は常時後方に附勢される。また、押し体の軸部１２ｃの前方がボールペンリフィールのインキ収容管２の後端孔に嵌挿し、シールリング１３の外周部がインキ収容管２の内周部に密接する。そのとき、シールリング１３は溝部１２ｄの前端側に寄っており、小孔１２ｅが開口してインキ収容管の後端孔は外気と連通している。（尚、明確に図示されていないが、軸筒１５内は外気と連通されている。その手段は容易であり、設計都合によって様々に設けられる。）
【００２０】
また、押し体１２の段部１２ａの一側に突部１２ｇが形成され、一方、軸筒１５の後端側周面に鉤状に縦溝１５ｄと周溝１５ｅが設けられて、突部１２ｇが縦溝１５ｄに嵌挿されている。押し体１２を前進作動してフォロア１０の後端が加圧された状態で押し体１２を回動し、突部１２ｇを周溝１５ｅに係合して押し体１２の後退が阻止可能となる。（尚、このようなロック装置は、設計都合によって様々に設けることが可能である。図４参照。）
【００２１】
図５は、上述した実施例に対してロック装置が無いものを示している。すなわち、流動しにくいインキに対し押し体のポンピング操作によって初期圧を加え、後退によって外気に連通するようになされている。
また図６は、押し体の前進作動の直前において、インキ収容管の後端孔は通気孔１９によって外気と連通され、適宜前進した直後において、インキ収容管の後端孔は外気と遮断されると共に加圧されるよう構成されている。この場合、押し体を前進作動してフォロアの後端が加圧された状態で押し体を回動し、突部を周溝に係合して押し体の後退が阻止可能となるロック装置が設けられている。
尚、インキ収容管の後端孔が外気に連通する手段は、シールリングが位置する位置のインキ収容管の内周をシールリングの外周より適宜大きく設けたり、あるいは連通する縦溝を内周に設けることなどでも達成できる。
【００２２】
ところで、軸筒１５の先方に嵌着されるキャップ１７は、弾性に優れた樹脂成形品で、その外周側面にクリップ１５ｂを位置させてその後端の筒部をキャップの後端孔に圧着している。また、クリップの筒部の後端には通気孔が貫通している。また、キャップ１７の内孔後方に小室を有した筒状のインナーキャップ１７ａが設けられ、インナーキャップ１７ａはキャップ内孔部との間に所要数設けたリブで一体に接続されている。以上により、リブとリブとの間を通じてキャップ挿入口から通気孔に連通した通気路が形成されて、万一幼児がキャップを飲み込んだ際に安全な通気手段となっている。また、インナーキャップ１７ａの小室の先端には非吸液性で非連続気泡の弾性体よりなるシール栓体１８が固定されており、キャップが嵌着された時にチップ３と口先部１６の先方が小室で略密嵌されると共に、チップ先端部がシール栓体１８に密接される。
【００２３】
また、本発明の加圧式の筆記具は、先端に連続気孔を有した多孔質体、軸方向に複雑な毛細管が形成されて成る所謂プラ芯、繊維集合体、などからなるペン芯をペン先としたサインペンまたはマーカー等のペン芯を有し、後方のインキ収容部にインキとインキの後端にインキと追随するフォロアが配設され、更にその後方に上述したポンピング式の加圧機構が設けられてなる加圧式の筆記具を可能とする。また、筆記先端部の形態は、基本的には、通常のサインペンやマーカー等で構成される形態で対応可能である。また必要によって、ペン芯は、積極的な係止部によって先軸に固着したり、ペン芯の外周部と先軸の挿通孔周面との間にインキ漏れ防止部が設けられる。
【００２４】
【作用】
次に、実施例の作用を以下に説明する。
先ず、押し体１２がポンピングされ、シールリング１３が押し体の軸部１２ｃに設けられた溝部１２ｄの後端側に寄って小孔１２ｅが閉塞され、外気と遮断された状態で前進することによってフォロア１０の後端が加圧される。
そのことは、落下衝撃やインキの流動性の悪さ等に起因して先端ボールの周面からインキが離れてしまい連続的なインキの流出がとぎれるのを防止する作用ととぎれた時に回復する作用となる。
【００２５】
押し体１２を最前進した状態で押し体１２を一方に回動すると、押し体の突部１２ｇが軸筒の周溝１５ｅに嵌挿されて押し体１２の後退が阻止され、フォロア１０の後端が加圧された状態に維持される。また、その状態から押し体１２を反対方向に回動すると阻止状態が解除されて押し体が後退し、そのとき、シールリング１３が押し体の軸部１２ｃに設けられた溝部１２ｄの前端側に寄って小孔１２ｅが開口され、外気と連通された状態で後退することによってフォロア１０の後端が外気圧以下に減圧されることなく後退できる。従って、従来のように加圧効果が低下する懸念がない。（但し、厳密にはシールリング１３が溝部１２ｄの前端側に寄って小孔１２ｅが開口される迄の摺動間隔は減圧方向に作用する。）
【００２６】
また、押し体の構成を後端側からノック棒、回転子、シールリングを備えた軸部で構成（筆記先端部を出没させるためにノック式のボールペン等に用いられる機構）して、ノック操作によって軸部を交互に前後退させることも可能である。
【００２７】
ところで、インキ収容管２の内周面とシールリング１３の外周面との間の摩擦抵抗に対してシールリング１３の内周面と押し体の溝部１２ｄの周面との間の摩擦抵抗は十分小さく設定されており、必要に応じて押し体の軸部（押し体本体に対して軸部を別体に設ける場合もある。）を摩擦係数の小さな材質を選択したり、シールリングの外面を軟質、内面を硬質の二層構造としたり、シールリングの内面や押し体の溝部の周面に摩擦抵抗を軽減する処理などが施される。尚、基本的にはシールリングが押し体の溝部の後端側に寄った（小孔が閉塞される）状態以外は、シールリングが溝部に遊嵌される状態であってもよい。
【００２８】
次に、ボールペンリフィールの作用について説明する。
図１はチップ３を上向きにした状態を示しており、スプリング７の棒軸部７ａの押圧で先端ボール６がチップ抱持部３ａの内縁に密接されているのでインキの逆流は防止されている。また、その時弁体８がは弁室５の弁体受け座５ａに位置して導孔５ｂを密閉するので、上向き筆記されてチップの先端ボール６背面のインキがなくなっても、インキにヘッドが掛かり逆流することがない。従って、チップ３を下向きにした時にインキが即流出可能となる。
因みにボール弁を有しない構造では、上向き筆記を繰り返すとインキが逆流方向に作用するのでチップ内に空気を巻き込み、下向き筆記で即インキが流出しにくくなる傾向がある。また、フォロア棒１１はインキ収容管が大径である場合に使用される。即ち、グリース状のフォロア１０は、インキ収容管が大径の場合に衝撃などの影響で変形を受け破壊されやすいという問題がある。フォロア内にフォロアと略同等の比重を有する樹脂製のフォロア棒を浸漬させることにより剛性を上げることが可能となる。
【００２９】
また、チップ３を下向きにした筆記状態に於いては、弁体８がチップの後端の一方に偏った状態に当接し、他方にはチップ３内にインキが流入可能な溝部５ｃが構成され、インキ収容管２から導孔５ｂを経て弁室５に入ったインキ９は溝部５ｃを通りチップ３の先端ボール６の背面まで誘導される。
【００３０】
尚、この状態では、スプリング７の棒軸部７ａの押圧で先端ボール６がチップ抱持部３ａの内縁に密接されるのでインキの直流が防止される。また、筆圧により先端ボール６が後退するので隙間を生じてインキが流出可能となり、加圧作用に支援されて筆記による先端ボール６の回転でインキが流出され、誤記等がそのインキにより隠蔽される。
【００３１】
上記のフォロア棒や弁体を有したインキの逆流防止構造は、インキ収容管が大径で逆流しやすい場合や、上向き筆記を繰り返した時や衝撃が掛かった時に性能を発揮するものであって、構成要素として必須のものではなく、特に誤記修正用のボールペンは上向きに使用されることはまず無いので必ずしも必要としない。
【００３２】
次に、筆記先端部をペン芯とした場合について説明する。
例えば、消しゴムで容易に消去可能とするインキの場合、インキの着色微粒子が小さいと紙の繊維内に染みこんで消去性が悪くなる問題がある。また、大きすぎる場合、着色微粒子の分散安定性が低下してペン先が詰まったり、発色が悪く、鮮明な色の描線が得られないなどの問題があり、着色微粒子の粒径は１〜２０μ、望ましくは２〜１０μ程度と言われている。
また、インキの粘度は、粘度が低すぎると着色微粒子が分離しやすく、粘度が高すぎるとペン先を出したまま放置しておくと極めて短時間でペン芯が詰まって筆記不可となる問題があり、インキの粘度は５〜３５ｍｐａ．ｓｅｃ程度、繊維集合体よりなるペン芯は１０ｍｐａ．ｓｅｃ以下にすべきとも言われている。
【００３３】
本発明に使用されるペン芯は、連続気孔を有した多孔質体（ウレタン状のものもしくは硬質の焼結体）、押出し成形等で軸方向に針葉状の複雑な毛細管が形成される所謂プラ芯、繊維集合体、などからなるが、インキの流出機能としてインキの自重や毛管作用のみに依存しないことにある。
また、通常のペン芯に適用するインキの粘度範囲の上限を超えたものや、着色微粒子の粒径の上限を超えたインキの対応を可能とし、ペン先に詰まりを生じない気孔を有し、必要に応じて、インキの濡れを低下させる。（例えば、インキの表面張力より小さく、インキをはじく状態となるようにペン芯の材質選定や表面処理が施される。）
すなわち、インキの筆記に伴う流出は加圧作用に支援されて可能となるものである。
また、携帯時や長期間使用しない状況下に於いて、フォロアの後端と外気が連通するように設ければ、ペン先からのインキのボタ落ちやペン先の詰まりが確実に防止可能となる。
【００３４】
【発明の効果】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなどに於いて、押し体の前進を解除すると加圧した状態から減圧の影響を受けずに押し体が後退し、フォロアの後端が外気と同じになるので、加圧効果が持続し、加圧した状態から減圧の影響を受けずに有して後退するので持続的な加圧効果が期待できる。
【００３５】
また、先端に連続気孔を有した多孔質体、軸方向に複雑な毛細管が形成されて成る所謂プラ芯、繊維集合体、などからなるペン芯をペン先としたサインペン、マーカー等の筆記具に於いて、紙面に筆記した筆跡が消しゴムでの擦過により容易に消去できるインキ、誤記等を白色で隠蔽する所謂修正インキ、メタリックカラーインキ、ラメを配したインキ、パール調インキ、筆記描線の乾燥が極めて速いインキなどのように、顔料粒子、高分子粒子、金属粉、金属箔、雲母などをインキ中に含み、高固形分濃度で粘度が高く、剪断減粘性を有するインキ、などのインキを使用可能とし、インキの粘度が所定以上に高かったり、あるいは着色微粒子が所定以上に大きい場合であってもペン先が詰まって筆記不可となる問題が回避可能となる。
【図面の簡単な説明】
【図１】本発明に使用するボールペンリフィールの全体を示す縦断面図であり、チップを上向きした状態を示している。
【図２】本発明の加圧式の筆記具の前半部を示す断面図で、キャップを軸筒の先方に嵌着した状態を示している。
【図３】本発明の加圧式の筆記具の後半部を示す断面図である。
【図４】ポンピングした状態に於ける加圧式の筆記具の後半部を示す断面図である。
【図５】本発明の別の形態の加圧式の筆記具の後半部を示す縦断面図である。
【図６】本発明の別の形態の加圧式の筆記具の後半部を示す縦断面図である。
【図７】本発明の別の形態のボールペンリフィールの全体を示す縦断面図である。
【符号の説明】
１          ボールペンリフィール
２          インキ収容管
３          チップ
３ａ      ボール抱持部
３ｂ      軸部
４          継ぎ手
４ａ      前軸部
４ｂ      鍔部
４ｃ      後軸部
４ｄ      チップ嵌着孔
４ｅ      リブ
５          弁室
５ａ      弁体受け座
５ｂ      導孔
５ｃ      溝部
６          先端ボール
７          スプリング
７ａ      棒軸部
８          弁体
９          インキ
１０        フォロア
１１        フォロア棒
１２        押し体
１２ａ    段部
１２ｂ    鍔部
１２ｃ    軸部
１２ｄ    溝部
１２ｅ    小孔
１２ｆ    孔部
１２ｇ    突部
１３        シールリング
１４        スプリング
１５      軸筒
１５ａ    軸部
１５ｂ    クリップ
１５ｃ    段部
１５ｄ    縦溝
１５ｅ    周溝
１６        口先部
１６ａ      段部
１７          キャップ
１７ａ      インナーキャップ
１８        シール栓体
１９          通気孔
【図１】
2004338161.tif 000003
【図２】
2004338161.tif 000004
【図３】
2004338161.tif 000005
【図４】
2004338161.tif 000006
【図５】
2004338161.tif 000007
【図６】
2004338161.tif 000008
【図７】
2004338161.tif 000009